(57)【要約】【課題】簡素かつ速やかなる処理を通じて、読取手段の読取動作が突然停止することを確実に回避する。【解決手段】圧縮率判定部８３は、圧縮／復号器７７で圧縮処理後の画像データに係る圧縮率を演算するとともに、同圧縮率に係る演算結果が、所定のしきい値（例えば、３０％）以下か否かを判定し、圧縮率に係る演算結果が、所定のしきい値以下である旨の判定が下されたとき、圧縮処理後の画像データを、ＲＡＭ７５における所定の領域に記憶させる一方、圧縮率に係る演算結果が所定のしきい値を越える旨の判定が下されたとき、圧縮処理前のビットマップデータを、暫定的な記憶場所であるＨＤＤ６３に記憶させる制御を行うようにした。【選択図】  図４
2008263311.tif 000002
【特許請求の範囲】
【請求項１】
原稿画像を読み取るとともに、この原稿画像に係る画像データを出力する読取手段と、前記画像データに基づくビットマップデータを圧縮処理する圧縮手段と、画像に係るデータを記憶するための記憶手段と、を備え、前記ビットマップデータに対し、前記圧縮手段で圧縮処理を施した後、前記記憶手段に記憶させる機能を有する画像形成装置であって、
各種データを記憶するための大容量記憶手段と、
前記圧縮手段で圧縮処理後の画像データに係る圧縮率を演算するとともに、同圧縮率に係る演算結果が、所定のしきい値以下か否かを判定する圧縮率判定手段と、
前記圧縮率に係る演算結果が、所定のしきい値以下である旨の判定が下されたとき、前記圧縮処理後の画像データを、前記記憶手段に記憶させる一方、所定のしきい値を越える旨の判定が下されたとき、前記圧縮処理前のビットマップデータを、前記大容量記憶手段に記憶させる制御を行う記憶制御手段と、
を備えて構成されることを特徴とする画像形成装置。
【請求項２】
請求項１記載の画像形成装置であって、
前記圧縮率に係る演算結果が、所定のしきい値を越える旨の判定が下されたとき、前記圧縮処理後の画像データに係る情報量を演算するとともに、同情報量に係る演算結果が、所定のしきい値以下か否かを判定する情報量判定手段をさらに備え、
前記記憶制御手段は、
前記情報量に係る演算結果が、所定のしきい値以下である旨の判定が下されたとき、前記圧縮処理後の画像データを、前記記憶手段に記憶させる一方、所定のしきい値を越える旨の判定が下されたとき、前記圧縮処理前のビットマップデータを、前記大容量記憶手段に記憶させる制御を行う
ことを特徴とする画像形成装置。
【発明の詳細な説明】
【技術分野】
【０００１】
本発明は、例えば、スキャナ等の読取手段を備えた複合機等の画像形成装置において、同読取手段で読み取ったビットマップデータに対し、圧縮処理を施して画像メモリに記憶させる機能を有する画像形成装置に関する。
【背景技術】
【０００２】
従来、例えばプリンタや複合機等の画像形成装置では、スキャナ等の読取手段で読み取った画像データのための記憶容量を削減するために、画像データを複数のバンドに分割し、各バンド毎にビットマップデータに展開した後、そのビットマップデータを圧縮処理して画像メモリに記憶させることが行われている。
【０００３】
こうした画像形成装置では、読取手段で読み取った画像データを、画像メモリに格納してゆくにあたり、画像データの圧縮率が所定のしきい値よりも低いとき等に、読取手段の読取動作を停止させる構成を採用したものがある。この場合、読み取った原稿画像が冗長性の低いものであるときには、読取手段の読取動作が突然停止するといった事態が起こり得る。
【０００４】
かかる不具合を解消するためのアプローチのひとつとして、圧縮率が異なる圧縮方法で画像データをデータ圧縮することができるデータ圧縮手段、該データ圧縮手段によりデータ圧縮された画像に係るデータを記憶する記憶手段、原稿を読み取り画像データを出力する読取手段及び、前記記憶手段に記憶された画像データと、前記記憶手段の空き容量と、前記読取手段からの原稿量の情報に基づいて、前記データ圧縮手段の圧縮方法を変える制御を行う制御手段を有し、記憶手段に記憶された画像データから画像１枚当たりのデータ量を演算し、原稿の量と対比して記憶手段の空き容量が足りないと判断されたときに、データ圧縮の方法を変えてデータ圧縮し記憶手段に記憶するようにした技術が提案されている（特許文献１）。特許文献１の技術によれば、読取手段で読み取った原稿画像が冗長性の低いものである場合でも、読取手段の読取動作が突然停止するといった、使用者の予期しない事態が起こることを可及的に回避することができる。
【０００５】
しかしながら、特許文献１に記載の技術では、記憶手段の空き容量の過不足を逐次判断し、その判断結果に基づき圧縮率を変えてデータの圧縮を行うこととしていたために、その処理が複雑で比較的長時間を要することとなっていた。
【０００６】
【特許文献１】特開２００１−４５２４７号公報
【発明の開示】
【発明が解決しようとする課題】
【０００７】
解決しようとする問題点は、従来技術では、読取手段の読取動作が突然停止することを回避するための処理が複雑で比較的長時間を要していた点である。
【課題を解決するための手段】
【０００８】
本発明は、簡素かつ速やかなる処理を通じて、読取手段の読取動作が突然停止することを確実に回避することを目的として、原稿画像を読み取るとともに、この原稿画像に係る画像データを出力する読取手段と、前記画像データに基づくビットマップデータを圧縮処理する圧縮手段と、画像に係るデータを記憶するための記憶手段と、を備え、前記ビットマップデータに対し、前記圧縮手段で圧縮処理を施した後、前記記憶手段に記憶させる機能を有する画像形成装置であって、各種データを記憶するための大容量記憶手段と、前記圧縮手段で圧縮処理後の画像データに係る圧縮率を演算するとともに、同圧縮率に係る演算結果が、所定のしきい値以下か否かを判定する圧縮率判定手段と、前記圧縮率に係る演算結果が、所定のしきい値以下である旨の判定が下されたとき、前記圧縮処理後の画像データを、前記記憶手段に記憶させる一方、所定のしきい値を越える旨の判定が下されたとき、前記圧縮処理前のビットマップデータを、前記大容量記憶手段に記憶させる制御を行う記憶制御手段と、を備えて構成されることを最も主要な特徴とする。
【発明の効果】
【０００９】
本発明では、記憶制御手段は、圧縮率判定手段の演算結果が、所定のしきい値以下である旨の判定が下されたとき、圧縮手段での圧縮処理後の画像データを、記憶手段に記憶させる一方、所定のしきい値を越える旨の判定が下されたとき、圧縮手段での圧縮処理前の画像データを、大容量記憶手段に記憶させる制御を行うので、これによって、読取手段の読取動作が突然停止する際のきっかけとなる、その圧縮率が所定のしきい値を越える画像データが生じたときには、通常の処理とは異なり、圧縮手段での圧縮処理前のビットマップデータを、暫定的に大容量記憶手段に記憶させることで、読取手段の読取動作が突然停止することを確実に回避することができる。従って、簡素かつ速やかなる処理を通じて、初期の目的を達成することができる。
【発明を実施するための最良の形態】
【００１０】
簡素かつ速やかなる処理を通じて、読取手段の読取動作が突然停止することを確実に回避するといった目的を、圧縮率判定手段の演算結果が、所定のしきい値以下である旨の判定が下されたとき、圧縮手段での圧縮処理後の画像データを、記憶手段に記憶させる一方、所定のしきい値を越える旨の判定が下されたとき、圧縮手段での圧縮処理前のビットマップデータを、大容量記憶手段に記憶させる制御を行う記憶制御手段により実現した。
【実施例】
【００１１】
以下、本発明に係る画像形成装置について、図面を参照しつつ詳細に説明する。なお、以下において、本発明に係る画像形成装置として、デジタル複合機を例示して説明する。
【００１２】
［デジタル複合機周辺の概略構成］
図１は、デジタル複合機周辺の概略構成図である。
【００１３】
本デジタル複合機は、印刷出力、ファックス送信、メール送信、又はデータ送信のうち少なくとも一つの機能が利用可能であり、マイクロコンピュータ及び専用のハードウェア回路等から構成される主制御部１１によって制御される。この主制御部１１に接続され諸機能を担う入出力機器として、本機は、スキャナ部２１、画像処理部３１、エンジン部４１、操作パネル部５１、ファクシミリ通信部６１、ＨＤＤ（ハードディスクドライブ）６３、並びにネットワークＩ／Ｆ（インタフェース）部６５を備える。
【００１４】
主制御部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、本機全体の動作を統括制御する。
【００１５】
スキャナ部２１（本発明の「読取手段」に相当する。）は、図示しないスキャナを構成する画像照射ランプ２３及びＣＣＤ（電荷結合素子：Charge  Coupled  Device）センサー２５を含む。スキャナ部２１は、画像照射ランプ２３により原稿を照射し、その反射光をＣＣＤセンサー２５で受光することにより、原稿から画像を読み取り、読み取った画像に対応する画像データを、プリンタコントローラ１７で後述する所定の処理を施した後、画像処理部３１へと転送する。
【００１６】
画像処理部３１は、補正部３３、画像加工部３５及び画像メモリ（本発明の「記憶手段」に相当する。）３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６１等へ出力する。補正部３３は、スキャナ部２１で読み取られた画像データに対してレベル補正、Ｙ補正等の所定の補正処理を行う。画像加工部３５は、画像データの圧縮又は伸張処理、及び拡大又は縮小処理等の種々の加工処理を行う。
【００１７】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部６５を介してＬＡＮ（Local Area Network）経由でクライアントＰＣ（パーソナルコンピュータ）等から送信されてきた画像データ、ファクシミリ通信部６１を用いて外部のファクシミリ装置等から受信したファクスデータ等の画像データを用いて用紙に画像を印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００１８】
操作パネル部５１は、タッチパネル部５３及び操作キー部５５を含む。操作パネル部５１は、ユーザがスキャナ機能、ファクシミリ機能、プリンタ機能、コピー機能等に関する操作を行うために使用され、ユーザによる操作指令等を主制御部１１に与える。
【００１９】
タッチパネル部５３は、タッチパネルとカラーＬＣＤ（Liquid Crystal Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。また、タッチパネル部５３は、原稿画像の濃淡イメージを、その表示画面に施されたデザイン変化に係る態様によって表示する際に用いられる。
【００２０】
操作キー部５５は、ユーザの操作入力を受付けるための複数の操作キーを備えており、例えば、コピー機能、プリンタ機能、スキャナ機能、ファクシミリ機能など諸機能のなかから、所要機能のキー入力操作をユーザが選択的に実行する際に、又は、ユーザが複写部数やコピー実行指令などを操作入力する際に用いられる。
【００２１】
ファクシミリ通信部６１は、スキャナ部２１によって読み取られた原稿の画像データを公衆回線を介して宛先となるファクシミリ装置等へ送信したり、ファクシミリ装置等から送信されてきた画像データを受信する。
【００２２】
ＨＤＤ（ハードディスクドライブ、本発明の「大容量記憶手段」に相当する。）６３は、スキャナ部２１によって読み取られた画像データ及び同画像データに設定されている出力形式等の種々のデータ等を暫定的に記憶する。ＨＤＤに記憶されている画像データは、画像形成装置、プログラム及び記録媒体内部で使用されるだけでなく、必要に応じて、ネットワークＩ／Ｆ部６５を介してクライアントＰＣ等から確認したり、クライアントＰＣやＦＴＰサーバ等の所定のフォルダへ転送される。
【００２３】
ネットワークＩ／Ｆ部６５は、ネットワークインタフェース（１０／１００Ｂａｓｅ−ＴＸ）等を用い、ＬＡＮを介して接続されたクライアントＰＣ等に対する種々のデータの送受信を制御する。
【００２４】
［プリンタコントローラ周辺の概略構成］
上述のごとく構成されたデジタル複合機では、簡素かつ速やかなる処理を通じて、スキャナ部２１の読取動作が突然停止することを確実に回避するために、以下に述べるとおり、プリンタコントローラ１７が重要な役割を果たしている。
【００２５】
図２は、プリンタコントローラの概略構成図を示し、図３は、同プリンタコントローラの機能面に注目したブロック図を示す。なお、図２と図３間において、共通する構成部には共通の符合を付し、その重複した説明を省略する。
【００２６】
図２に示すように、プリンタコントローラ１７は、プリンタ機能に係る動作を統括制御するＣＰＵ７１と、ＣＰＵ７１を動作させるための制御プログラムやフォントデータ等を格納するＲＯＭ７３と、各種処理中に発生したデータを記憶するＲＡＭ（本発明の「記憶手段」に相当する。）７５と、画像データに符号化処理を施すことで圧縮及び復号を行う圧縮／復号器（本発明の「圧縮手段」に相当する。）７７と、の間を、バス７９を介して接続して構成されている。
【００２７】
ＣＰＵ７１は、バンド単位に分割された画像のビットマップデータを、ＲＡＭ７５における所定の領域に展開する機能を有している。
【００２８】
ＲＡＭ７５は、圧縮データのための記憶領域や、バンド単位に分割された画像のビットマップデータを展開するための展開領域や、ネットワークＩ／Ｆ部６５を介してクライアントＰＣ等から受信したデータを格納する入力バッファの領域や、システムワーク領域等の領域を含んで構成されている。
【００２９】
圧縮／復号器７７のうち圧縮器は、ＲＡＭ７５に展開されたバンド単位のビットマップデータを圧縮する機能を有し、かかる圧縮処理後の圧縮データは、ＲＡＭ７５における所定の領域にＤＭＡ（Direct Memory Access）転送されて記憶される。
【００３０】
一方、その機能面に注目すると、プリンタコントローラ１７は、ビットマップデータ生成部８１と、圧縮／復号器７７と、ＲＡＭ７５と、圧縮率判定部（本発明の「圧縮率判定手段」及び「記憶制御手段」に相当する。）８３と、情報量判定部（本発明の「情報量判定手段」及び「記憶制御手段」に相当する。）８５とを備えて構成されている。
【００３１】
ビットマップデータ生成部８１は、スキャナ部２１で読み取られた画像データを、バンドと呼ばれる単位に分割し、順次１バンド分の画像データをビットマップに展開してＲＡＭ７５における所定の展開領域に格納する。なお、バンドとは、１頁分の画像全体を複数の矩形領域に分割した帯状のブロックのことをいう。
【００３２】
圧縮率判定部８３は、圧縮／復号器７７で圧縮処理後の画像データに係る圧縮率を演算するとともに、同圧縮率に係る演算結果が、所定のしきい値（例えば、３０％）以下か否かを判定する。また、圧縮率判定部８３は、圧縮率に係る演算結果が、所定のしきい値以下である旨の判定が下されたとき、圧縮処理後の画像データを、ＲＡＭ７５における所定の領域に記憶させる機能を有している。なお、圧縮率判定部８３の機能として、圧縮率に係る演算結果が所定のしきい値を越える旨の判定が下されたとき、圧縮処理前のビットマップデータを、ＨＤＤ６３に記憶させる制御を行うように構成してもよい。
【００３３】
情報量判定部８５は、圧縮率に係る演算結果が、所定のしきい値を越える旨の判定が下されたとき、前記圧縮処理後の画像データに係る情報量を演算するとともに、同情報量に係る演算結果が、所定のしきい値（例えば、５１２ＫＢ）以下か否かを判定する。また、情報量判定部８５は、情報量に係る演算結果が、所定のしきい値以下である旨の判定が下されたとき、圧縮処理後の画像データを、ＲＡＭ７５における所定の領域に記憶させる一方、圧縮処理前のビットマップデータを、ＨＤＤ６３に記憶させる制御を行う機能を有している。
【００３４】
［デジタル複合機におけるデータ記憶に係る処理手順］
次に、本発明に係る画像形成装置（デジタル複合機）の動作について、図４を参照して説明する。図４は、本発明に係る画像形成装置におけるデータ記憶に係る処理手順を示す。
【００３５】
図４に示すように、まず、ビットマップデータ生成部８１は、１バンド分の画像データをビットマップ化してＲＡＭ７５における所定の展開領域に記憶させる（ステップＳ１）。これを受けて、圧縮／復号器７７は、ＲＡＭ７５における展開領域からビットマップデータを読み出して、その圧縮処理を実行する（ステップＳ２）。ステップＳ２における圧縮処理が完了すると、圧縮率判定部８３は、圧縮／復号器７７で圧縮処理後の画像データに係る圧縮率を演算するとともに、同圧縮率に係る演算結果が、所定のしきい値（例えば、３０％）以下か否かに係る圧縮率判定を実行する（ステップＳ１３）。ステップＳ１３の処理は、その圧縮率が所定のしきい値（３０％）を越える画像データではＲＡＭ７５における記憶領域を過剰に消費するおそれがあることから、通常の処理とは異なる、異常処理の対象として取り扱うために設けたものである。
【００３６】
ステップＳ１３における圧縮率判定の結果、圧縮率に係る演算結果が、所定のしきい値（３０％）以下である旨の判定が下されたとき、圧縮率判定部８３は、圧縮処理後の画像データを、ＲＡＭ７５における所定の領域に記憶させる（ステップＳ１４）。ステップＳ１４における処理は、正常な画像データに対して通常行われる処理である。
【００３７】
これに対し、ステップＳ１３における圧縮率判定の結果、圧縮率に係る演算結果が、所定のしきい値（３０％）を越える旨の判定が下されたとき、情報量判定部８５は、圧縮処理後の画像データに係る情報量を演算するとともに、同情報量に係る演算結果が、所定のしきい値（例えば、５１２ＫＢ）以下か否かに係る情報量判定を実行する（ステップＳ１５）。ステップＳ１５の処理は、ステップＳ１３においてその圧縮率が所定のしきい値（３０％）を越えるために異常処理の対象として画一的に取り扱われようとしている画像データに対し、その情報量が所定のしきい値（５１２ＫＢ）以下である画像データでは、ＲＡＭ７５における記憶領域を必ずしも過剰に消費するわけではないから、通常処理の対象として取り扱うよう救済するために設けたものである。
【００３８】
ステップＳ１５における情報量判定の結果、情報量に係る演算結果が、所定のしきい値（５１２ＫＢ）以下である旨の判定が下されたとき、情報量判定部８５は、処理の流れをステップＳ１４に進ませて、通常のとおり、圧縮処理後の画像データを、ＲＡＭ７５における所定の領域に記憶させる。
【００３９】
一方、ステップＳ１５における情報量判定の結果、情報量に係る演算結果が、所定のしきい値（５１２ＫＢ）を越せる旨の判定が下されたとき、情報量判定部８５は、圧縮処理前の原ビットマップデータを、暫定的な記憶場所であるＨＤＤ６３に記憶させる（ステップＳ１６）。ステップＳ１６における処理は、異常処理の対象として取り扱われることが決定した画像データに対して行われる処理である。
【００４０】
ステップＳ１４又はＳ１６におけるデータ記憶処理が完了すると、ＣＰＵ７１は、全てのジョブが終了したか否かを判定する（ステップＳ１７）。ステップＳ１７の判定の結果、まだジョブの継続中である旨の判定が下されたとき、ＣＰＵ７１は、処理の流れをステップＳ１１に戻し、以下の処理を実行させる。一方、全てのジョブが終了した旨の判定が下されたとき、ＣＰＵ７１は、全ての処理を終了させる。
【００４１】
なお、ステップＳ１６において、異常処理の対象として取り扱われることが決定した画像データ（圧縮処理前の原ビットマップデータ）については、一連の処理が終了した後に、いわゆるオフラインの処理として、ＨＤＤ６３から適宜取り出して、異なる圧縮率を適用するか、又は異なる圧縮方式を採用すること等によって、予め定められる情報量サイズまで圧縮した後に、ＲＡＭ７５における所定の領域に記憶されることになる。
【００４２】
［実施例の効果］
以上述べたように、本発明に係る画像形成装置（デジタル複合機）によれば、圧縮率判定部８３は、圧縮／復号器７７で圧縮処理後の画像データに係る圧縮率を演算するとともに、同圧縮率に係る演算結果が、所定のしきい値（例えば、３０％）以下か否かを判定し、圧縮率に係る演算結果が、所定のしきい値以下である旨の判定が下されたとき、圧縮処理後の画像データを、ＲＡＭ７５における所定の領域に記憶させる一方、圧縮率に係る演算結果が所定のしきい値を越える旨の判定が下されたとき、圧縮処理前のビットマップデータを、暫定的な記憶場所であるＨＤＤ６３に記憶させる制御を行うようにしたので、従って、スキャナ部２１の読取動作が突然停止する際のきっかけとなる、その圧縮率が所定のしきい値を越える画像データが生じたときには、通常の処理とは異なり、圧縮／復号器７７での圧縮処理前のビットマップデータを、暫定的にＨＤＤ６３に記憶させることが可能になる結果として、スキャナ部２１の読取動作が突然停止することを確実に回避することができる。従って、簡素かつ速やかなる処理を通じて、初期の目的を達成することができる。
【００４３】
また、本発明に係る画像形成装置（デジタル複合機）によれば、情報量判定部８５は、圧縮率に係る演算結果が、所定のしきい値を越える旨の判定が下されたとき、圧縮処理後の画像データに係る情報量を演算するとともに、同情報量に係る演算結果が、所定のしきい値（例えば、５１２ＫＢ）以下か否かを判定して、情報量に係る演算結果が、所定のしきい値以下である旨の判定が下されたとき、圧縮処理後の画像データを、ＲＡＭ７５における所定の領域に記憶させる一方、圧縮処理前のビットマップデータを、ＨＤＤ６３に記憶させるようにしたので、上述と同様に、初期の目的を達成することができる。しかも、異常処理の対象として画一的に取り扱われようとしている画像データに対し、その情報量が所定のしきい値（５１２ＫＢ）以下である画像データでは、ＲＡＭ７５における記憶領域を必ずしも過剰に消費するわけではないから、通常処理の対象として取り扱うよう救済することとしたので、圧縮データ記憶に係る柔軟な運用を図ることができる。
【００４４】
［その他］
本発明は、上述した実施例に限られるものではなく、請求の範囲及び明細書全体から読み取れる発明の要旨、あるいは技術思想に反しない範囲で適宜変更可能であり、そのような変更を伴う画像形成装置もまた、本発明における技術的範囲の射程に包含されるものである。
【図面の簡単な説明】
【００４５】
【図１】本発明に係る画像形成装置（デジタル複合機）周辺の概略構成図である。
【図２】本発明に係る画像形成装置の一部をなすプリンタコントローラの概略構成図である。
【図３】同プリンタコントローラの機能面に注目したブロック図である。
【図４】本発明に係る画像形成装置におけるデータ記憶に係る処理手順を示すフローチャート図である。
【符号の説明】
【００４６】
１１  主制御部
２１  スキャナ部（読取手段）
３７  画像メモリ（記憶手段）
６３  ＨＤＤ（大容量記憶手段）
７１  ＣＰＵ
７３  ＲＯＭ
７５  ＲＡＭ（記憶手段）
７７  圧縮／復号器（圧縮手段）
８１  ビットマップデータ生成部
８３  圧縮率判定部（圧縮率判定手段、及び記憶制御手段）
８５  情報量判定部（情報量判定手段、及び記憶制御手段）
【図１】
2008263311.tif 000003
【図２】
2008263311.tif 000004
【図３】
2008263311.tif 000005
【図４】
2008263311.tif 000006